(57)【要約】 【課題】  研磨布の巻取りスペースを狭くして小型化の可能な遊技媒体の研磨装置を提供する。【解決手段】  研磨布４の巻取り軸６を支持台１にスライド可能に支承したうえに、巻取り軸４を払出し軸３と反対の駆動ローラ５側にコイルバネに９により付勢して、巻取り軸６を巻き取られたロール状の研磨布４を介して駆動ローラ５に当接する。巻取り開始時の巻取り軸６を払出し軸３から当初研磨布のロール径分引き離しておく。巻取り軸６の回転につれて研磨布４の巻取り径が大きくなるので、巻取り軸６はコイルバネ９の付勢に抗して払出し軸３の方向にスライド移動される。よって、スライド移動させた分研磨装置を小型化することができる。【選択図】    図１
2005230305.tif 000002
【特許請求の範囲】
【請求項１】
研磨使用前の研磨布を装着する払出し軸と、研磨使用後の研磨布を巻き取る巻取り軸とを備え、払出し軸と巻取り軸との間に設けられる研磨部にて遊技媒体を研磨する遊技媒体の研磨装置において、研磨布の巻取り軸に、巻き取られて成長する研磨布の巻取り量に対応して巻取り軸を払出し軸の方向にスライドさせる移動機構を設けたことを特徴とする遊技媒体の研磨装置。
【請求項２】
移動機構は、巻取り軸に巻き取られた研磨布を介して巻取り軸を回転させる駆動ローラと、巻取り軸を駆動ローラと払出し軸との間でスライド可能に支承する支持台と、巻取り軸を駆動ローラ方向に付勢する弾性体とからなる請求項１に記載の遊技媒体の研磨装置。
【請求項３】
巻取り開始時の巻取り軸を、少なくとも払出し軸から研磨布の初期ロール径分引き離した請求項２に記載の遊技媒体の研磨装置。
【発明の詳細な説明】
【技術分野】
【０００１】
本発明は、パチンコ球やコインなどの遊技媒体を研磨布により研磨するための遊技媒体の研磨装置に関するものである。
【背景技術】
【０００２】
特開２０００−２５４３３３号公報には、研磨布の巻取り機構を備えた玉研磨装置が開示されている。この玉研磨装置においては、取付台の上端と下端の回転ローラ間に、無端状の回転ベルトを張架されている。この回転ベルトに対向してガイドレール３１を設け、ガイドレールの表面を覆うように有端状の研磨布が張架されている。パチンコ玉はこの回転ベルトによりガイドレールの表面の研磨布に押しつけられながら揚送され、研磨される。研磨布はロール状として使用前の研磨布ロールの払出し軸にセットされ、駆動回転ローラにより下方に引き出され、最終的に巻取り軸に間欠的に巻き取られる。
【０００３】
上記研磨装置は、払出し軸の側にはロール状の研磨布を装着するためのスペースを必要とし、一方、巻取り軸の側には研磨布をロール状に巻き取るためのスペースを必要とする。また、巻取り当初は巻き径が小さく巻取り軸におけるロール径の成長が大きいのに対して、払出し側のロール径は大きく払出し軸におけるロール径の縮小は小さい。したがって、この成長と縮小のバランスを取って円滑に巻取りを行うには、二つの軸間をロール半径分引き離しただけでは足りず、それよりも大きく引き離す必要がある。以上のように従来の研磨装置においては研磨布を巻き取るために広いスペースを必要とし、このため研磨装置が大型化してしまうという問題があった。
【特許文献１】特開２０００−２５４３３３号公報  (図１)
【発明の開示】
【発明が解決しようとする課題】
【０００４】
本発明は上記した従来の問題点を解決して、研磨布の巻取りスペースを狭くして小型化の可能な遊技媒体の研磨装置を提供するためになされたものである。
【課題を解決するための手段】
【０００５】
上記の課題を解決するためになされた本発明の遊技媒体の研磨装置は、研磨使用前の研磨布を装着する払出し軸と、研磨使用後の研磨布を巻き取る巻取り軸とを備え、払出し軸と巻取り軸との間に設けられる研磨部にて遊技媒体を研磨する遊技媒体の研磨装置において、研磨布の巻取り軸に、巻き取られて成長する研磨布の巻取り量に対応して巻取り軸を払出し軸の方向にスライドさせる移動機構を設けたことを特徴とするものである。なお、移動機構は、巻取り軸に巻き取られた研磨布を介して巻取り軸を回転させる駆動ローラと、巻取り軸を駆動ローラと払出し軸との間でスライド可能に支承する支持台と、巻取り軸を駆動ローラ方向に付勢する弾性体とからなるものとすることができる。また、巻取り開始時の巻取り軸を、少なくとも払出し軸から研磨布の初期ロール径分引き離すのが望ましい。
【発明の効果】
【０００６】
本発明の遊技媒体の研磨装置は、研磨布の巻取り軸を、研磨布のロール径の成長に対応して払出し軸の方向にスライド移動させるようにしたので、スライド移動させる分研磨布の巻取りスペースを狭くすることができる。上記移動機構を、駆動ローラと、巻取り軸を駆動ローラと払出し軸との間でスライド可能に支承する支持台と、巻取り軸を駆動ローラ方向に付勢する弾性体とにより構成したので、巻取り軸を研磨布を介して駆動ローラに当接して回転させることができ、また、弾性体の付勢に抗して巻き取られて成長する研磨布を払出し軸の方向にスライドさせることができる。さらに、巻取り開始時の巻取り軸を、払出し軸から研磨布の初期ロール径分引き離すことによって、巻取り後に巻取り軸を駆動ローラと払出し軸との中間に移動させて１個の研磨布ロールをこれらの間に収容することができる。
【発明を実施するための最良の形態】
【０００７】
以下に図面を参照しつつ本発明の好ましい実施形態を説明する。
図１、２は本発明の遊技媒体の研磨装置を示す図であって、１は研磨装置の支持台、２は研磨レールである。支持台１には研磨布の払出し軸３が水平状に固定されており、この払出し軸３に使用前のロール状研磨布４が装着されている。また、支持台１にはモータＭによって回転される駆動ローラ５と、研磨布４の巻取り軸６とが、水平に平行して設けられている。巻取り軸６は駆動ローラ５と払出し軸３の間に形成された横長の孔部７に挿し込まれていて、巻取り軸６は駆動ローラ５及び払出し軸３と１線上に位置してスライド移動することができる。また、巻取り軸６はベアリング８により回転自在に保持されている。そして、ベアリング８がコイルバネ９により払出し軸３と反対の方向に付勢されているので、巻取り軸６も一体に付勢されて駆動ローラ５に当接されている。駆動ローラ５はローラ表面に多数の突部を備え、これらの突部が研磨布４に食い込むので、研磨布４をより確実に巻き取ることができる。
【０００８】
払出し軸３に取り付けられた研磨布４は、ガイドローラ１１、研磨レール２、ガイドローラ１２を経由して巻取り軸６に巻き取られるが、巻取り開始前の状態において、巻取り軸６は払出し軸３から研磨布４のロール直径分引き離されている。したがって、巻取り開始時のロール径の急成長に十分対応して円滑に研磨布４を巻き取ることができる。
【０００９】
研磨布４は研磨レール２上において、スクリューやベルトなどにより搬送されるパチンコ玉やコインなどの遊技媒体に擦り付けられるので、これらの遊技媒体を研磨することができる。そして、研磨が進むと研磨布４は油や塵芥などにより汚染されて研磨能力が低下することになるので、図示していない間歇巻取り装置により適当な時間間隔をおいて所定の長さ研磨布４は巻取り軸６に巻き取られる。
【００１０】
コイルバネ９の付勢により巻取り軸６が駆動ローラ５に研磨布４を介して当接されているので、モータＭにより駆動ローラ５を回転することによって巻取り軸６は回転される。巻取り軸６の回転につれて巻き取られた研磨布４のロール径が成長するので、巻取り軸６はコイルバネ９の付勢に抗して払出し軸３の方向にスライド移動されることになる。
【００１１】
そして、研磨布４が使用されて図３に示すような巻取り完了状態となった時には、使用開始前のロール径と同程度に成長した研磨布４が駆動ローラ５と払出し軸３との間に介在することとなる。すなわち、巻取り軸６は駆動ローラ５と払出し軸３との中間位置にまでスライド移動されるので、巻取りスペースを初期ロールの半径分節約することができる。
【００１２】
以上説明したように、本発明の遊技媒体の研磨装置は、成長する研磨布のロール径に対応して巻取り軸を払出し軸の側にスライド移動させるようにしたので、巻取りスペースを初期ロール径の半分節約することができ、その分研磨装置を小型化することができるという利点を有する。
【図面の簡単な説明】
【００１３】
【図１】研磨布が巻取り開始前である本発明の研磨装置の正面図である。
【図２】本発明の研磨装置の構造を示す平面図である。
【図３】研磨布が巻取り完了した本発明の研磨装置の正面図である。
【符号の説明】
【００１４】
１  支持台
２  研磨レール
３  研磨布の払出し軸
４  研磨布
５  駆動ローラ
６  研磨布の巻取り軸
７  横長の孔部
８  ベアリング
９  コイルバネ
１１、１２  ガイドローラ
【図１】
2005230305.tif 000003
【図２】
2005230305.tif 000004
【図３】
2005230305.tif 000005